(57)【特許請求の範囲】
【請求項１】
球供給皿(12)に連通する球入り口(36)と発射レール(14)上の発射位置(A) に遊技球(B) を排出する球出口(51)とが形成された球送りケース(31)と、この球送りケース(31)内で発射手段(16)に連動して前後方向の支軸(32)廻りに往復回動自在に枢支された球送り部材(33)とを備え、発射手段(16)の発射動作毎に、球送りケース(31)内の球送り部材(33)が往復回動して球供給皿(12)からの遊技球(B) を１個ずつ発射位置(A) に送るようにした弾球遊技機の遊技球供給装置において、球送りケース(31)内に、支軸(32)の略真上に配置され且つ球入り口(36)からの遊技球(B) が入る球保持部(37)と、該球保持部(37)の左右方向の一側方に配置され且つ遊技球(B) を球出口(51)に案内する球案内部(52)とを設け、球保持部(37)の下方に配置された球送り部材(33)の上面に、球保持部(37)の下側に対応したときに球入り口(36)から球保持部(37)内に入った遊技球(B) を球入り口(36)の下側部分との間で下側から支承する球支承部(58)と、該球支承部(58)の一側に低く形成され、且つ球送り部材(33)が支軸(32)廻りに一方向に回動したときに球支承部(58)から外れて落下する遊技球(B) を球保持部(37)内で下側から受け、該球送り部材(33)が支軸(32)廻りに他方向に回動したときにその受けた遊技球(B) を球案内部(52)側に落下させる球受け部(59)とを支軸(32)を中心とする周方向に隣接して形成し、球送りケース(31)を前後の第１ケース体(34)と第２ケース体(35)とに分割し、第１ケース体(34)に球出口(51)と球案内部(52)を、第２ケース体(35)に球入口(36)と球保持部(37)を夫々設け、球支承部(58)は球入り口(36)側が低く傾斜して支軸(32)を中心とする円弧状に形成された円弧状傾斜面であり、球受け部(59)は球案内部(52)側が低く傾斜して支軸(32)を中心とする円弧状に形成された円弧状傾斜面であることを特徴とする弾球遊技機の遊技球供給装置。
【請求項２】
球送り部材(33)に、支軸(32)の軸心方向に長く構成された支持ボス部(55)と、この支持ボス部(55)から上方に突出する板状部(56)とを備え、この板状部(56)の上端側に球支承部(58)と球受け部(59)とを設けると共に、球支承部(58)側の板状部(56)に補強リブ(60)を設けたことを特徴とする請求項１に記載の弾球遊技機の遊技球供給装置。
【発明の詳細な説明】
【０００１】
【産業上の利用分野】
本発明は、アレンジボール機、パチンコ機等の弾球遊技機の遊技球供給装置に関するものである。
【０００２】
【従来の技術】
従来、弾球遊技機の遊技球供給装置として、特公昭５５−１３７４７号公報に記載のように、発射手段の発射動作に連動して球送り手段を作動させ、この球送り手段によって遊技球供給皿からの遊技球を１個つづ発射レール上の発射位置に供給するようにしたものがある。
【０００３】
発射手段は、固定軸廻りに回動自在な打撃槌と、この打撃槌を打撃方向に付勢するバネと、このバネに抗して打撃槌を固定軸廻りに駆動する発射モータとを備え、発射モータで打撃槌を駆動した後、バネにより打撃槌を発射方向に回動させて、この打撃槌によって発射位置の遊技球を打撃してガイドレール側に発射させるようになっている。
【０００４】
一方、球送り手段は、球送りケース内に、球供給用の上皿から遊技球が入った時に、その重量によって回動する第１球送り部材と、打撃槌に連動して往復回動して第１球送り部材からの遊技球を受け取って発射レール側に送る第２球送り部材とを備え、発射手段の打撃槌が作動した時に、作動杆、連動部材を介して第２球送り部材を回動させて、第１球送り部材側の遊技球を発射レール上に送ると共に、第１球送り部材が球供給皿から次の遊技球を１個受け入れるようになっている。
【０００５】
【発明が解決しようとする課題】
この種の遊技球供給装置によれば、発射手段の打撃槌に連動して球送り手段の各球送り部材が往復回動することによって、打撃槌が発射レール上の発射位置の遊技球を発射する毎に、その発射後の発射レール上に次の遊技球を１個づつ供給することができる。
【０００６】
しかし、従来の遊技球供給装置では、球送りケース内に第１球送り部材と第２球送り部材とを備え、この両球送り部材を回動させて発射レールの発射位置に遊技球を送るようにしているため、球送り手段の内部構造が複雑であり、全体的に大型化する欠点がある。
【０００７】
また支軸廻りに往復回動する２個の球送り部材を組み合わせているため、可動構成部材の数が増えて構造が複雑化するばかりでなく、各球送り部材が故障の原因ともなり易く、円滑且つ確実な作動を長期間にわたって維持することが困難である。
本発明は、かかる従来の課題に鑑み、構造を簡単且つ小型化することができ、長期間にわたって無理なく円滑且つ確実に作動させることができる弾球遊技機の遊技球供給装置を提供することを目的とする。
【０００８】
【課題を解決するための手段】
本発明は、球供給皿12に連通する球入り口36と発射レール14上の発射位置A に遊技球B を排出する球出口51とが形成された球送りケース31と、この球送りケース31内で発射手段16に連動して前後方向の支軸32廻りに往復回動自在に枢支された球送り部材33とを備え、発射手段16の発射動作毎に、球送りケース31内の球送り部材33が往復回動して球供給皿12からの遊技球B を１個ずつ発射位置A に送るようにした弾球遊技機の遊技球供給装置において、球送りケース31内に、支軸32の略真上に配置され且つ球入り口36からの遊技球B が入る球保持部37と、該球保持部37の左右方向の一側方に配置され且つ遊技球B を球出口51に案内する球案内部52とを設け、球保持部37の下方に配置された球送り部材33の上面に、球保持部37の下側に対応したときに球入り口36から球保持部37内に入った遊技球B を球入り口36の下側部分との間で下側から支承する球支承部58と、該球支承部58の一側に低く形成され、且つ球送り部材33が支軸32廻りに一方向に回動したときに球支承部58から外れて落下する遊技球B を球保持部37内で下側から受け、該球送り部材33が支軸32廻りに他方向に回動したときにその受けた遊技球B を球案内部52側に落下させる球受け部59とを支軸32を中心とする周方向に隣接して形成し、球送りケース31を前後の第１ケース体34と第２ケース体35とに分割し、第１ケース体34に球出口51と球案内部52を、第２ケース体35に球入口36と球保持部37を夫々設け、球支承部58は球入り口36側が低く傾斜して支軸32を中心とする円弧状に形成された円弧状傾斜面であり、球受け部59は球案内部52側が低く傾斜して支軸32を中心とする円弧状に形成された円弧状傾斜面であることを特徴とする。
【００１１】
【作用】
発射レール14上の発射位置A にある遊技球B を発射する際には、発射モータ20が打撃槌18を固定軸8 廻りにバネ19に抗して駆動した後、そのバネ19により打撃槌18を打撃方向に回動させて、この打撃槌18によって発射位置A の遊技球B をガイドレール11側へと打撃して発射する。
【００１２】
一方、打撃槌18に連動して球送りケース31内の球送り部材33が支軸18廻りに往復回動して、発射手段16の発射動作毎に、球供給皿12からの遊技球B を１個つづ発射位置A に送る。球送り手段13では、球供給皿12から球入り口36を経て球送りケース31の球保持部37に入った遊技球B を、球送り部材33の球支承部58で下側から支承して置く。そして、打撃槌19に連動して球送り部材33が一方向に回動した時に、球支承部58から球受け部59に受け止める。次に、球送り部材33が他方向に回動した時に、球受け部59の遊技球B を球案内部52側に移動させて、その球案内部52から球出口51を経て発射レール14上へと送って行く。
【００１３】
【実施例】
以下、本発明の実施例を図面に基づいて詳述する。
図面は本発明の一実施例を例示する。図１において、1 はパチンコ機本体で、外枠と、この外枠にヒンジ2 を介して開閉自在に枢着された前枠3 等により構成されている。前枠3 には窓孔4 が形成され、この窓孔4 内にガラス扉5 と前面板6 とが開閉自在に設けられ、またガラス扉5 に対応して後側から着脱自在に遊技盤7 が装着されている。遊技盤7 にはガイドレール11の他に、入賞手段等の各種の遊技部品が装着されている。
【００１４】
12は遊技球供給皿を構成する上皿、前面板6 の前面に装着されている。13は球送り手段で、前面板6 の裏面に装着されており、上皿12から供給される遊技球を１個づつ発射レール14上の発射位置に送るようになっている。15は下皿で、前面板6 の下側で前枠3 の下部に装着されている。なお、この下皿15は上皿12内の遊技球が満杯状態になった時に、この上皿12から溢流する遊技球を受けて溜めるようになっている。
【００１５】
16は発射手段で、下皿15の一側方で前枠3 の下部側に配置されている。この発射手段16は、発射ハンドル17を把持して回動操作した時に、その発射ハンドル17の回動角度に応じた発射力で発射レール14の発射位置A の遊技球B を打撃し、この遊技球B をガイドレール11側に発射させるようになっている。
【００１６】
発射手段16は、図２乃至図１０に示すように、固定軸8 により回動自在に枢支され且つ発射レール14の発射位置A の遊技球B を発射方向に打撃する打撃槌18と、この打撃槌18を打撃方向に付勢するバネ19と、発射ハンドル17を把持した時に起動する発射モータ20と、この発射モータ20の回転軸21に固定され且つカムローラ22を介して打撃槌18をバネ19に抗する方向に駆動するカム体23とにより構成されている。
【００１７】
なお、発射レール14は遊技盤7 を下側から支持する下セット板75の前側に取り付け板24を介して装着され、また下セット板75は前面板6 の裏側で前枠3 に固定されている。バネ19は発射ハンドル17の回動角に応じてそのバネ圧が変化するようになっている。
【００１８】
打撃槌18の後ろ側の側面には作動部材25が着脱自在に装着されている。この作動部材25は打撃槌18を両側から挟む一対の係合突起26を備え、その係合突起26で打撃槌18を幅方向の両側から挟んだ状態で、下部側のネジ25a により打撃槌18に着脱自在に固定されている。
【００１９】
作動部材25は発射レール14の側方から球送り手段13の下方側に向かって発射レール14の下方に突出する磁石装着部27を備えている。この磁石装着部27には、その上面側に隙間調節用のスペーサ28を介して原動側の永久磁石29がネジ30によって着脱自在に装着されている。
【００２０】
球送り手段13は、下側が開口した箱状の球送りケース31と、この球送りケース31内に支軸32により揺動自在に枢支された球送り部材33とを備え、発射手段16の打撃槌18に連動して球送り部材33が支軸32廻りに往復揺動して、発射手段16の打撃槌18が遊技球B を１個発射する毎に、上皿12内の遊技球B を１個づつ発射レール14の発射位置A に送るようになっている。
【００２１】
球送りケース31は、前面及び下面が開放した第１ケース体34と、この第１ケース体34の前面側に着脱自在に装着された第２ケース体35とを備えている。第２ケース体35には、前面側に開口する球入り口36と、この球入り口36から入った遊技球B を保持する球保持部37と、後方に突出する３個のボス部38とが形成され、その各ボス部38の基部には係合部39が形成されている。そして、この第２ケース体35は、球入り口36が前面板6 の通孔40に対応するように前面板6 の裏面側に当接されると共に、各ボス部38に後ろ側から挿通された取り付けネジ41によって前面板6 、上皿12に着脱自在に締結されている。
【００２２】
球保持部37内には、その後ろ側上部に側面視三角形状の補強兼用の保持板42と、後壁側の下端部を左右に繋ぐ補強兼用の保持リブ43とが一体に形成され、この保持板42と保持リブ43とによって球保持部37内の遊技球B を保持するようになっている。
【００２３】
第１ケース体34は、左右一対の側壁44,45 と、この一対の側壁44,45 の上端間を連結する上壁46と、この側壁44,45 及び上壁46に一体の後壁47とを備え、その各側壁44,45 の内側と後壁47に一体に嵌合筒部48が一体に形成されている。この各嵌合筒部48は、第２ケース体35側のボス部38に後ろ側から着脱自在に套嵌されると共に、周方向の２か所に形成されたスリット49により嵌合筒部48と一体に係合爪50が形成されている。係合爪50は嵌合筒部48の内外方向に弾性力を有し、嵌合筒部48をボス部38に套嵌した時に、係合爪50がボス部38側の係合部39に係脱自在に係合するようになっている。
なお、ボス部38の取り付けネジ41は、嵌合筒部48に後ろ側から挿入したドライバー等によって回動操作可能である。
【００２４】
第１ケース体34の後壁47には、遊技球B を発射レール14上に送る球出口51と、この球出口51に遊技球B を案内する球案内部52とが、球保持部37よりも発射位置A 側に偏位した位置に設けられている。球案内部52は球出口51に対応して矩形筒状であって、球保持部37側に、この球保持部37側からの遊技球B を球案内部52側に移動させ易いように切り欠き部53が、この切り欠き部53と反対側には、球案内部52側からの遊技球B を確実に止めるように規制する規制突部54が夫々一体に形成されている。規制突部54は前端が第２ケース体35の近傍まで突出している。
【００２５】
球送り部材33は上下方向の中央部に支軸32の軸心と平行に前後方向に長い支持ボス部55を備え、この支持ボス部55が第１ケース体34の後壁47から前方に突出する支軸32により回動自在に枢支されている。球送り部材33は、支持ボス部55の前後方向の中央よりも若干前側から上方に突出して一体形成された板状部56と、支持ボス部55の後端から下方に突出して一体形成された従動部材57とを有する。
【００２６】
板状部56の上端には、球支承部58と球受け部59とが周方向に形成され、その球支承部58側に補強リブ60が上下方向に一体に形成されている。球支承部58は、球入り口36から球保持部37内に入った遊技球B を下側から支承するためのもので、支軸32を中心とする円弧状で且つ前側が低くなる傾斜状に形成されている。
【００２７】
球受け部59は、球送り部材33が支軸32廻りにａ矢示方向に回動した時に、球保持部37内の遊技球B が落下して嵌合し、且つ球送り部材33が支軸32廻りにｂ矢示方向に回動した時に、その嵌合状態の遊技球B を球案内部52上に落下させるためのもので、球支承部58の周方向の一側方でこの球支承部58よりも低くなるように設けられている。
【００２８】
この球受け部59は、球支承部58の端部側の段部61と、この段部61に対向する規制突起62と、これら段部61と規制突起62との間に形成された受け部63とを備え、その受け部63は遊技球B を球案内部52側に案内するように後ろ側に傾斜して形成されている。
【００２９】
従動部材57には、上下方向の中途部にウエイト取り付け部64が一体に形成され、このウエイト取り付け部64に、球送り部材33の球受け部59が球保持部37側に対応するように、この球送り部材33を支軸32廻りに付勢するウエイト65がモールドされている。従動部材57は、球送りケース31の下端開口側から下方に突出し且つ後方に屈曲して発射レール14の下方側に突出するように側面視Ｌ字状に形成されており、その突出端部に磁石装着部66が形成されている。磁石装着部66は偏平状であって、この磁石装着部66の下面側に従動側の永久磁石67がネジ68で着脱自在に装着されている。
【００３０】
作動部材25、従動部材57及び永久磁石29,67 によって、打撃槌18と球送り部材33とを磁力作用により連動させる連動手段69が構成されている。そして、両永久磁石29,67 は、Ｎ極とＮ極又はＳ極とＳ極と言うように、同一極同士を相対向させて磁石装着部27,66 に装着され、作動部材25側の永久磁石29が従動部材57側の永久磁石67に接近した時に、その両永久磁石29,67 間に反発力が発生して球送り部材33を支軸32廻りにｂ矢示方向に回動させ、作動部材25側の永久磁石29が従動部材57側の永久磁石67から離間する方向に後退した時に、その両永久磁石29,67 間に反発力がなくなり、ウエイト65の重量によって球送り部材33が支軸32廻りにａ矢示方向に復帰するようになっている。
【００３１】
即ち、カム体23がバネ19に抗して打撃槌18を固定軸8 廻りにｃ矢示方向に回動させた時に、両永久磁石29,67 間に反発力が発生せずに球送り部材33が第１ストッパー70に当接する復帰位置に復帰する。そして、打撃槌18が発射レール14の発射位置A の遊技球B を打撃する打撃位置まで回動した時に、図２に実線で示す如く、作動部材25側の永久磁石29,67 が固定軸8 と支軸32とを結ぶ直線上に略位置して、従動部材57の当接部57a が第２ストッパー71に当接するように、両永久磁石29,67 間に反発力を発生させるようなっている。
【００３２】
球送り部材33は、球支承部58と球受け部59とが球保持部37に選択的に対応し、且つ球受け部59が球保持部37と球案内部52とに選択的に対応するように、第１ストッパー70と第２ストッパー71とによって規制される範囲内で左右に往復回動自在である。各ストッパー70,71 は第１ケース体34の後壁47に夫々設けられている。
【００３３】
上記構成において、ゲームを行う際には、上皿12内に遊技球B を入れた後、発射手段16の発射ハンドル17を把持して所定角度まで操作すると、発射手段16の発射動作に連動して球送り手段13が作動し、上皿12内の遊技球B を順次１個づつ発射レール14の発射位置A に供給して行き、遊技球B の供給と発射とを交互に繰り返す。
【００３４】
即ち、発射ハンドル17を操作して発射モータ20が作動すると、その回転軸21に固定されたカム体23がｄ矢示方向に回転し、カムローラ22を介して打撃槌18を駆動する。このため打撃槌18がバネ19に抗しながら固定軸8 廻りにｃ矢示方向に回動し、バネ19を張り状態にして行く。そして、カム体23がカムローラ22から外れると、バネ19の引っ張り力によって打撃槌18が固定軸8 廻りにｅ矢示方向に回動して、その先端の槌部で発射レール14上の発射位置A の遊技球B を打撃し、発射レール14に沿ってガイドレール11側へと発射させる。
【００３５】
一方、発射モータ20のカム体23により打撃槌18を駆動中は、この打撃槌18の作動部材25の永久磁石29,67 が図２に仮想線で示すように球送り部材33から離間し、両永久磁石29,67 間には反発力が発生していないので、球送り部材33はウエイト65等の重力によって支軸32廻りに回動して第１ストッパー70に当接した復帰位置にある。つまり、球送り部材33の球受け部59が球保持部37の下側に対応した状態にある。このため、球保持部37内の遊技球B が球受け部59に嵌合して下側から支承された状態にある。
【００３６】
この状態から打撃槌18のｅ矢示方向に回動すると、図２に示すように、その作動部材25側の永久磁石29が従動部材57側の永久磁石67に接近するため、両永久磁石29,67 間に反発力が発生して、打撃槌18のｅ矢示方向への回動に連動して球送り部材33が支軸32廻りにｂ矢示方向に回動する。この時、球送り部材33の球受け部59に嵌合状態の遊技球B を、球送りケース31内での球送り部材33の回動によって球保持部37から球案内部52側へと送って行く。
【００３７】
そして、打撃槌18が打撃位置まで回動して、作動部材25の永久磁石29が固定軸8 と支軸32とを結ぶ直線上に到達し、両永久磁石29,67 間の反発力によって球送り部材33が第２ストッパー71に当接した状態になる。このため、発射レール14の発射位置A の遊技球B を打撃すると同時に、球送り部材33の球受け部59が図３に示す如く球案内部52に対応して、球受け部59の遊技球B が受け面の傾斜に沿って後ろ側へと転がって球案内部52側に落下し、この球案内部52から球出口51を経て発射レール14上へと遊技球B を落下させる。従って、遊技球B を発射後の発射レール14上に次の遊技球B を１個送り込むことができる。
【００３８】
一方、球送り部材33が回動位置にあれば、図３の如く球送り部材33の球支承部58は球保持部37の下側に対応しており、球受け部59に嵌合した遊技球B を送った後に、球入り口36から球保持部37内に入って来た次の遊技球B を球支承部58で下側から支承して保持する。この時、球送り部材33の球支承部58側には、上皿12の整列部12a 内にある後続の遊技球B の球圧がかかる。
【００３９】
しかし、球送り部材33は前後に長い支持ボス部55を備え、この支持ボス部55を支軸32で回動自在に支持する一方、この支持ボス部55の中央よりも若干前側に板状部56を一体に突設し、しかもこの板状部56の球支承部58側に補強リブ60を設けているので、この球送り部材33の球支承部58によって後続の遊技球B の球圧に十分抗することができる。球送り部材33の球支承部58等の後ろ側への変形、球保持部37内での遊技球B の咬み込み等を確実に防止できる。
【００４０】
また両永久磁石29,67 間の反発力を利用して、打撃槌18の発射方向への回動に連動させて、球送り部材33を第２ストッパー71に当接する回動位置まで回動させているため、この時に打撃槌18側が回動し過ぎて、両永久磁石29,67 の異極同士が相対応して吸引力が発生するようにならなければ良く、従って、打撃槌18と球送り部材33との回動ストロークを厳密に一致させる必要がない。
【００４１】
打撃槌18が発射レール14の発射位置A の遊技球B を発射した後、発射モータ20側のカム体23が再度カムローラ22に当接して打撃槌18を駆動し始めると、打撃槌18がバネ19に抗して固定軸8 廻りにｃ矢示方向に急速に回動して行く。このため、作動部材25側の永久磁石29が回動位置にある球送り部材33の従動部材57側の永久磁石67から急激に離間するため、両永久磁石29,67 間に反発力が発生しなくなり、図８に示すように球送り部材33がウエイト65等の重力によって復帰位置へと復帰回動する。
【００４２】
球支承部58によって球保持部37内の遊技球B を下側から支承した状態のままで球送り部材33が支軸32廻りに復帰回動して、球送り部材33が第１ストッパー70に当接して復帰位置まで回動すると、球支承部58上の遊技球B が、球保持部37内で球支承部58から外れて球受け部59へと落下する。そして、球保持部37内で球受け部59内に嵌合した遊技球B をその受け面により下側から支承する。この時、次の遊技球B は、球入り口36から球保持部37内に若干入る程度であり、球保持部37と球受け部59とで後続の遊技球B の球圧を受ける。
【００４３】
そして、打撃槌18がバネ19の付勢によって固定軸8 廻りに打撃方向に回動して発射位置A の遊技球B を打撃し発射すると共に、両永久磁石29,67 間の反発力によって球送り部材33が支軸32廻りに回動して、球受け部59内の遊技球B を発射後の発射レール14上の発射位置A に送って行く。
以下、同様にして発射手段16の発射動作に連動して球送り手段13が作動し、発射動作と供給動作とを順次繰り返して行く。
【００４４】
球送り手段13の球送りケース31は、第１ケース体34と第２ケース体35とに分割されており、この両ケース体34,35 間に球送り部材33を介在した状態で、両ケース体を結合する。この時、第１ケース体34の３個の嵌合筒部48と第２ケース体35の３個のボス部55とを嵌合させて結合する。このように嵌合筒部48とボス部55とを嵌合させることによって、両者ケース体34,35 の相対位置を確実に位置決めできる。また嵌合筒部48とボス部55とを嵌合させるため、球送りケース31内の球送り部材33等と干渉しない位置を容易に選択して嵌合筒部48とボス部55とを配置できる。
【００４５】
嵌合筒部48とボス部55とを嵌合させれば、嵌合筒部48の係合爪50の先端部が各ボス部55の係合部39に係合して、球送り部材33を介在した状態で第１ケース体34と第２ケース体35とを結合できる。嵌合筒部48に係合爪50を設けることによって、係合爪50の損傷を少なくできる。
【００４６】
第１ケース体34と第２ケース体35とを分離する場合には、球送りケース31の開口側から指又は工具を挿入して、各嵌合筒部48の係合爪50を離脱方向に操作して係合部39との係合を解除する。
球送り手段13を前面板6 に装着する場合には、第１ケース体34と第２ケース体35とを結合した状態で、その第２ケース体35側を前面板6 の裏面側に当接させて、各嵌合筒部48に後ろ側から取り付けネジ41及びドライバー等を挿入し、そのドライバーで取り付けネジ41を操作して上皿12に締結する。球送り手段13を取り外す場合にも、嵌合筒部48からドライバーを挿入して取り付けネジ41を操作すれば良い。
【００４７】
図１１は本発明の他の実施例を示し、線材からなる作動杆80を打撃槌18に固定し、この作動杆80を介して打撃槌18と球送り部材33とを連動させるようにしたものである。
このように作動杆80を用いた場合にも、前記実施例と同様に実施することが可能である。
以上、本発明の実施例について説明したが、この実施例に限定されるものではない。
【００４８】
例えば、実施例では、作動部材25と従動部材57とに磁石装着部27,66 を設けて永久磁石29,67 を装着しているが、吸引力を利用する場合であれば、作動部材25と従動部材57との何れか一方に永久磁石29,67 を設け、他方に磁性体を設けても良いし、また両方に永久磁石29,67 を設けて、その各永久磁石29,67 の異極同士を対向させても良い。
【００４９】
球送りケース31は、第１ケース体34側を板状にして、第２ケース体35側を側壁44,45 付きの箱状に構成しても良い。
また実施例では、パチンコ機について説明したが、アレンジボール機等のその他の弾球遊技機においても同様に実施可能である。
【００５０】
【発明の効果】
本発明によれば、球供給皿12に連通する球入り口36と発射レール14上の発射位置A に遊技球B を排出する球出口51とが形成された球送りケース31と、この球送りケース31内で発射手段16に連動して前後方向の支軸32廻りに往復回動自在に枢支された球送り部材33とを備え、発射手段16の発射動作毎に、球送りケース31内の球送り部材33が往復回動して球供給皿12からの遊技球B を１個ずつ発射位置A に送るようにした弾球遊技機の遊技球供給装置において、球送りケース31内に、支軸32の略真上に配置され且つ球入り口36からの遊技球B が入る球保持部37と、該球保持部37の左右方向の一側方に配置され且つ遊技球B を球出口51に案内する球案内部52とを設け、球保持部37の下方に配置された球送り部材33の上面に、球保持部37の下側に対応したときに球入り口36から球保持部37内に入った遊技球B を球入り口36の下側部分との間で下側から支承する球支承部58と、該球支承部58の一側に低く形成され、且つ球送り部材33が支軸32廻りに一方向に回動したときに球支承部58から外れて落下する遊技球B を球保持部37内で下側から受け、該球送り部材33が支軸32廻りに他方向に回動したときにその受けた遊技球B を球案内部52側に落下させる球受け部59とを支軸32を中心とする周方向に隣接して形成し、球送りケース31を前後の第１ケース体34と第２ケース体35とに分割し、第１ケース体34に球出口51と球案内部52を、第２ケース体35に球入口36と球保持部37を夫々設け、球支承部58は球入り口36側が低く傾斜して支軸32を中心とする円弧状に形成された円弧状傾斜面であり、球受け部59は球案内部52側が低く傾斜して支軸32を中心とする円弧状に形成された円弧状傾斜面であるので、球送りケース31内に球保持部37と球案内部52と球送り部材33を設ければ良く、構造を簡単且つ小型化することができると共に、長期間にわたって無理なく円滑且つ確実に作動させることができる。
【図面の簡単な説明】
【図１】本発明の一実施例を示すパチンコ機の正面図である。
【図２】本発明の一実施例を示す遊技球供給装置の正面図である。
【図３】本発明の一実施例を示す遊技球供給装置の断面図である。
【図４】図２のＯ−Ｏ線断面図である。
【図５】図２のＰ−Ｐ線断面図である。
【図６】図３のＱ−Ｑ線断面図である。
【図７】図３のＲ−Ｒ線断面図である。
【図８】本発明の一実施例を示す遊技球供給装置の作動状態の断面図である。
【図９】図８のＳ−Ｓ線断面図である。
【図１０】図８のＴ−Ｔ線断面図である。
【図１１】本発明の他の実施例を示す遊技球供給装置の正面図である。
【符合の説明】
12  上皿（球供給皿）
16  発射手段
31  球送りケース
32  支軸
33  球送り部材
34  第１ケース体
35  第２ケース体
36  球入り口
37  球保持部
51  球出口
55  支持ボス部
56  板状部
58  球球支承部
59  球受け部
58  球支承部
60  補強リブ
A   発射位置
B   遊技球
【図１】
0004124278.tif 000002
【図２】
0004124278.tif 000003
【図３】
0004124278.tif 000004
【図４】
0004124278.tif 000005
【図５】
0004124278.tif 000006
【図６】
0004124278.tif 000007
【図７】
0004124278.tif 000008
【図８】
0004124278.tif 000009
【図９】
0004124278.tif 000010
【図１０】
0004124278.tif 000011
【図１１】
0004124278.tif 000012